(57)【要約】【課題】  ＡＶ機器のリモートコントロール装置において、コスト高を招かずに、しかも、余分な部品を追加することなく、暗い部屋などの暗所でも操作キーを識別するための表示が見えるようにして誤ったキー操作を防止する。併せて、その所在場所を容易に知ることができるようにする。【解決手段】  箱形ケース１の外面に配備されている操作キー２１についての表示３に蛍光塗料を塗布することによって、その表示３自体に暗所で当該表示を視認可能にする蛍光特性を付与する。表示３を透明な表面層によって被覆する。箱形ケース１の背側外面に吸盤７を装着する。【選択図】        図１
2006086575.tif 000002
【特許請求の範囲】
【請求項１】
プラスチック製の箱形ケースの外面に操作キー群が配備されていて、その操作キー群に含まれる操作キーの表面に付されてその操作キーを識別する表示、又は、操作キーの近傍箇所で上記箱形ケースの外面に付されてその操作キーを識別する表示を有するオーディオビジュアル機器のリモートコントロール装置において、
上記表示に蛍光塗料を塗布することによってその表示自体に暗所で当該表示を視認可能にする蛍光特性を付与してあると共に、蛍光塗料を塗布した上記表示が透明な表面層によって被覆されており、
偏平に形成された上記箱形ケースの前側外面に上記操作キー群が配備されているのに対し、その背側外面に、当該リモートコントロール装置を面状体に吸着保持させるための吸盤が装着されていて、その吸盤を上記面状体に吸着させたときに上記箱形ケースの前側外面が上記面状体の表面によって覆い隠されない姿勢でその箱形ケースがその面状体に保持されるようになっていることを特徴とするオーディオビジュアル機器のリモートコントロール装置。
【請求項２】
プラスチック製の箱形ケースの外面に操作キー群が配備されていて、その操作キー群に含まれる操作キーの表面に付されてその操作キーを識別する表示、又は、操作キーの近傍箇所で上記箱形ケースの外面に付されてその操作キーを識別する表示を有するリモートコントロール装置において、
上記表示自体に暗所で当該表示を視認可能にする蛍光特性を付与してあることを特徴とするオーディオビジュアル機器のリモートコントロール装置。
【請求項３】
上記表示に蛍光塗料を塗布することによってその表示自体に上記蛍光特性を付与してある請求項２に記載したオーディオビジュアル機器のリモートコントロール装置。
【請求項４】
蛍光塗料を塗布した上記表示が透明な表面層によって被覆されている請求項３に記載したオーディオビジュアル機器のリモートコントロール装置。
【請求項５】
偏平に形成された箱形ケースの前側外面に操作キー群が配備されていて、その背側外面に、当該リモートコントロール装置を面状体に吸着保持させるための吸盤が装着されている請求項２ないし請求項４のいずれか１項に記載したオーディオビジュアル機器のリモートコントロール装置。
【発明の詳細な説明】
【技術分野】
【０００１】
本発明は、テレビジョン受像機やＤＶＤ装置などのオーディオビジュアル機器（以下「ＡＶ機器」という）を遠隔制御するためのリモートコントロール装置に関する。
【背景技術】
【０００２】
この種のリモートコンロール装置では、プラスチック製の箱形ケースの外面に操作キー群が配備されていて、その操作キー群に含まれる操作キーの表面に付されてその操作キーを識別する表示、又は、操作キーの近傍箇所で上記箱形ケースの外面に付されてその操作キーを識別する表示を有している。そして、従来は、上記表示が、操作キーの表面色や箱形ケースの外面色とは異なる色に着色されているに過ぎなかったので、明るい場所ではその表示が見えるけれども、暗い場所ではその表示が見えにくいという事態や見えないという事態が生じていた。そのため、たとえば部屋を暗くしてＡＶ機器の画面に映し出された画像を見たりする場合に、その暗い部屋でリモートコントロール装置を操作しようとすると、操作キーの識別表示が見えないために誤って他の操作キーを押してしまうということがよくあった。
【０００３】
また、この種のリモートコンロール装置は、その箱形ケースがプラスチック製で滑りやすいために、リモートコントロール装置を置いたテーブルから滑り落ちたりそれを掴んだ手から滑り落ちたりして、故障したり、置いている場所がわからなくなるということも多々あった。
【０００４】
一方、従来より、液晶表示部をバックライトにより照明するようにした表示装置において、そのバックライトの光源に蛍光板を用いるものがあった（特許文献１参照）。また、カラー液晶表示装置において、液晶層を挟持させた電極基板のうちの背面側基板の内側又は外側に着色蛍光塗料層を形成したものが知られていた（特許文献２参照）。
【０００５】
さらに、リモートコントロール発信器に複数の吸盤を備えた吸着板を取り付けることにより、そのリモートコントロール発信器をいろいろな場所に吸着保持させておくことができるようにしたものが知られていた（特許文献３参照）。また、空気調和機のワイヤレスリモコンの取付部材に吸盤を取り付けておき、その吸盤を空気調和機の側面に吸着させることによってワイヤレスリモコンを空気調和機に保持させておくことも知られていた（特許文献４参照）。
【特許文献１】特開平９−３０５１２０号公報
【特許文献２】実開昭５８−５２５７９号公報
【特許文献３】実開昭５９−１４４７３号公報
【特許文献４】実開昭６３−１８１７５１公号公報
【発明の開示】
【発明が解決しようとする課題】
【０００６】
ところで、冒頭で説明したリモートコンロール装置のように、操作キー群に含まれる操作キーを識別する表示が、その操作キー自体や操作キーの近傍箇所で箱形ケースの外面に付されているようなリモートコントロール装置において、暗い部屋などの暗所でも操作キーを識別する表示が見えるようにしておくと、誤って他の操作キーを押してしまうという事態が少なくなり、その所在場所がわからなくなるという事態が少なくなる。
【０００７】
そこで、暗所でも操作キーを識別する表示が見えるようにするためには、上掲の特許文献１に記載されている技術を利用することにより、操作キーを識別する表示をバックライトで照明するという対策を講じることが有効であるけれども、この対策では、バックライトの光源としての蛍光板が余分に必要になったり蛍光板の設置スペースを余分に確保することなどが必要になったりするのでそれだけコスト高になる。このことから、この技術を、操作キー群を備えたリモートコントロール装置に適用して表示を見やすくするということは得策でないと云える。
【０００８】
特許文献２に記載されている技術は、液晶層に着色蛍光塗料層を組み合わせるものであって、この技術をリモートコントロール装置の表示を見やすくすることに利用することはできない。
【０００９】
また、特許文献３や特許文献４に記載されている技術は、吸盤を利用してリモートコントロール発信器の保管場所を適切に選択したり、ワイヤレスリモコンの保持場所を適切に選択したりするものであるに過ぎない。
【００１０】
本発明は以上の状況の下でなされたものであり、暗い部屋などの暗所でも操作キーを識別するための表示が見えるようにして誤ったキー操作を防止することが可能になり、しかも、その所在場所を容易に知ることのできるＡＶ機器のリモートコントロール装置を提供することを第１の目的とする。
【００１１】
また、本発明は、この第１の目的を達成し得るＡＶ機器のリモートコントロール装置を吸盤を利用して定位置に保持させておくことができるようにすることによって、そのリモートコントロール装置がテーブルや手から落下して故障するという事態を未然に防止することができるだけでなく、それに併せて、暗所でも、定位置に保持されたリモートコンロール装置の所在場所を容易にしかも確実に知ることができるようにすることを第２の目的とする。
【課題を解決するための手段】
【００１２】
本発明に係るＡＶ機器のリモートコンロール装置は、プラスチック製の箱形ケースの外面に操作キー群が配備されていて、その操作キー群に含まれる操作キーの表面に付されてその操作キーを識別する表示、又は、操作キーの近傍箇所で上記箱形ケースの外面に付されてその操作キーを識別する表示を有するリモートコントロール装置において、上記表示自体に暗所で当該表示を視認可能にする蛍光特性を付与してある。
【００１３】
この構成であると、操作キーを識別する表示自体が暗所で蛍光を発するので、明るい場所では勿論、暗い部屋などの暗所であっても、オペレータ（ユーザ）はその表示を見て操作しようとする操作キーを正確に識別することが可能になり、誤ったキー操作が未然に防止されるようになる。とりわけ、このリモートコンロール装置はＡＶ機器用のものに限定されているので、部屋を暗くしてＡＶ機器の画面に映し出された画像を見るというような場合に特に好ましく用いることができる。
【００１４】
暗所で表示を視認可能にする蛍光特性を付与する手段としては、上記表示に蛍光塗料を塗布するという手段が有効であり、これによれば、特許文献１に記載されている技術のように、蛍光板が余分に必要になったり蛍光板の設置スペースを余分に確保することなどが必要になったりするという不都合が生じないだけでなく、そのような蛍光特性を有する表示を、手間をそれほどかけることなく容易に形成することが可能である。
【００１５】
本発明では、蛍光塗料を塗布した上記表示が透明な表面層によって被覆されている、という構成を採用することが望ましい。これによれば、頻繁に操作キーが手の指で操作されても、蛍光塗料を塗布した表示に直接に手の指が触れることがないので、蛍光塗料が表示から剥がれるという事態が起こらなくなって蛍光塗料による初期の発光性能が長期に亘って維持される。
【００１６】
本発明では、偏平に形成された箱形ケースの前側外面に操作キー群が配備されていて、その背側外面に、当該リモートコントロール装置を面状体に吸着保持させるための吸盤が装着されていることが望ましい。これによれば、吸盤を面状体としてのテーブル面やＡＶ機器キャビネットの外面に吸着させるだけで当該リモートコントロール装置が定位置に動かないように保持されるので、そのリモートコンロール装置が落下して故障するという事態を未然に防止することができる。その上、吸盤が箱形ケースの背側外面に装着されていて、操作キー群がその前側外面に配備されているという構成を採用してあるため、吸盤をテーブル面やキャビネット外面に吸着させたままキー操作が可能になるだけでなく、暗所では、操作キーを識別するための表示がそれらのテーブル面やキャビネットの外面によって覆い隠されなくなって、表示から発せられる蛍光によってリモートコンロール装置のテーブル面やキャビネットの外面などでの所在場所を容易にしかも確実に知ることが可能になる。
【００１７】
本発明に係るＡＶ機器のリモートコンロール装置は、プラスチック製の箱形ケースの外面に操作キー群が配備されていて、その操作キー群に含まれる操作キーの表面に付されてその操作キーを識別する表示、又は、操作キーの近傍箇所で上記箱形ケースの外面に付されてその操作キーを識別する表示を有するオーディオビジュアル機器のリモートコントロール装置において、上記表示に蛍光塗料を塗布することによってその表示自体に暗所で当該表示を視認可能にする蛍光特性を付与してあると共に、蛍光塗料を塗布した上記表示が透明な表面層によって被覆されており、偏平に形成された上記箱形ケースの前側外面に上記操作キー群が配備されているのに対し、その背側外面に、当該リモートコントロール装置を面状体に吸着保持させるための吸盤が装着されていて、その吸盤を上記面状体に吸着させたときに上記箱形ケースの前側外面が上記面状体の表面によって覆い隠されない姿勢でその箱形ケースがその面状体に保持されるようになっている、という構成を採用することによっていっそう具体化される。
【発明の効果】
【００１８】
以上のように、本発明によれば、コスト高を招かずに、しかも、余分な部品を追加することなく、暗い部屋などの暗所でも操作キーを識別するための表示が見えるようにして誤ったキー操作を防止することが可能になり、併せて、その所在場所を容易に知ることのできるＡＶ機器のリモートコントロール装置を提供することが可能になる。そのため、たとえば暗い部屋でＡＶ機器の画面に映し出された画像を見たいときやそのような画像を見ているときでも、その部屋を明るくせずに即座に当該リモートコンロール装置の所在場所がわかり、しかも、そのキー操作を誤りなく容易に行うことができるようになる。
【００１９】
また、本発明によれば、吸盤を利用してテーブル面やキャビネットの外面に吸着保持させておくことができ、しかも、そのような保持状態では、操作キーを識別するための表示が周囲から見えるようになっているので、当該リモートコントロール装置が掃除をするときなどにテーブルや手から落下して故障するという事態を未然に防止することが可能になり、併せて、暗所でも、吸盤で吸着保持させたリモートコンロール装置の所在場所を容易にしかも確実に知ることができるようになる。
【発明を実施するための最良の形態】
【００２０】
図１（Ａ）は本発明に係る実施形態のリモートコンロール装置の概略斜視図、同（Ｂ）はそのリモートコンロール装置の操作キー群２の一部を拡大した正面図、同（Ｃ）は操作キー２１の拡大断面図である。また、図２は上記リモートコンロール装置と吸盤７とを示した分解斜視図、図３はリモートコンロール装置の使用例の説明図、図４は他の使用例の説明図である。
【００２１】
図１（Ａ）のように、このリモートコンロール装置は、プラスチック製の偏平な箱形ケース１の前側外面に操作キー群２が配備されていて、この操作キー群２に含まれるそれぞれの操作キー２１を個別に押込み操作することによって、箱形ケース１の先端面に備わっている出力窓５から制御信号が発信されるようになっている。そして、出力窓５から発信された制御信号が、図示していないＡＶ機器の受信部に入力されてそのＡＶ機器がその制御信号に応じたモードに制御される。
【００２２】
このリモートコンロール装置において、操作キー群２に含まれるそれぞれの操作キー２１には、図１（Ｂ）に示したように、その表面又は操作キー２１の近傍箇所で箱形ケース１の前側外面１２に付された表示３が備わっていて、その表示３によって、対応する操作キー２１を押下げ操作したときの制御モードや切換チャンネルが表されている。同図（Ｂ）に例示されているように、この表示３には、数字表示や記号表示、制御モードを表したアルファベットによる略記表示などが含まれるけれども、この表示３はその他の手段、たとえば日本語による略記表示などで形成されていてもよい。
【００２３】
そして、上記表示３のそれぞれには、個別に蛍光特性が付与されている。さらに具体的には、暗所で当該表示を視認可能にする蛍光特性が付与されている。このような蛍光特性は、上記表示３に蛍光塗料を塗布することによって付与されている。また、同図（Ｃ）に操作キー２１について例示したように、蛍光塗料を塗布した表示３が透明樹脂でなる表面層３１によって被覆されている。
【００２４】
これに対し、図２に示したように、箱形ケース１の背側外面に電池ボックスのカバー６が着脱自在とされ、かつ、その背側外面の先端側部分に吸盤７の首部７１が着脱される係止孔８が設けられている。この係止孔８には径大な誘導孔８１が連設されていて、吸盤７の首部７１を誘導孔８１に差し込んでから係止孔８側に移行させることによって、吸盤７が箱形ケース１に装着されるようになっている。したがって、箱形ケース１に装着された吸盤７を、図３に示したテレビジョン受像機のキャビネット１００の外面や図４に示したテーブル面２００に吸着させて当該リモートコンロール装置を動かないように固定すると、箱形ケース１の前側外面１２に配備されている操作キー群２がキャビネット１００やテーブル面２００によって覆い隠されることなくそれらの周囲から見やすい状態に保たれる。
【００２５】
ＡＶ機器のリモートコンロール装置が上記のように構成されていると、その周囲が明るいときには個々の操作キー２１を識別する表示３に塗布されている蛍光塗料がその蓄光作用によって光を蓄えるのに対し、そのリモートコンロール装置の周囲が暗いときには、上記表示３に塗布されている蛍光塗料が発光してその表示３が視認可能になる。そのため、ユーザは、明るい場所では勿論、暗い部屋などの暗所であっても、その表示３を見て操作しようとする操作キー２１を正確に識別することが可能になり、誤ったキー操作を行うことが未然に防止される。したがって、ユーザが部屋を暗くしてＡＶ機器の画面に映し出された画像を見ている場合であっても、部屋の照明を点けずに、部屋を暗くしたままでキー操作を誤りなく行うことができるようになる。
【００２６】
また、この実施形態では、蛍光塗料を塗布した個々の表示３が透明な表面層３１によって被覆されていることにより、手の指で操作キー２１を押下げ操作しても、蛍光塗料を塗布した表示３に直接に手の指が触れることがないので、蛍光塗料が表示３から剥がれてその蛍光特性が損なわれるという事態が起こり得ない。そのため、頻繁に操作キー２１を手の指で操作しても、蛍光塗料による初期の発光性能が長期に亘って維持されて、暗所での表示３の視認がいつまでも可能になる。
【００２７】
一方、上記したように、箱形ケース１に装着されている吸盤７を、図３に示したテレビジョン受像機のキャビネット１００の外面や図４に示したテーブル面２００に吸着させて当該リモートコンロール装置を動かないように固定しておくと、キャビネット１００の外面やテーブル面２００を掃除するときにリモートコンロール装置が落下して故障するという事態が起こらなくなるだけでなく、箱形ケース１の前側外面１２に配備されている操作キー群２がキャビネット１００やテーブル面２００によって覆い隠されることなくそれらの周囲から見やすい状態に保たれるので、暗所であっても、表示３から発せられる蛍光によって、リモートコンロール装置が、キャビネット１００の外面やテーブル面２００などに保持されているということを容易に知ることができる。そのため、周囲が暗いときにリモートコンロール装置の所在場所が判らなくなるとう事態が起こりにくくなる。また、暗所であっても、リモートコンロール装置をキャビネット１００の外面やテーブル面２００などに保持させたまま、操作キー２１の操作を行うことができるという利点もある。
【図面の簡単な説明】
【００２８】
【図１】（Ａ）は本発明に係る実施形態のリモートコンロール装置の概略斜視図、（Ｂ）はリモートコンロール装置の操作キー群の一部を拡大した正面図、（Ｃ）は操作キーの拡大断面図である。
【図２】リモートコンロール装置と吸盤とを示した分解斜視図である。
【図３】リモートコンロール装置の使用例の説明図である。
【図４】リモートコンロール装置の他の使用例の説明図である。
【符号の説明】
【００２９】
１  箱形ケース
２  操作キー群
３  表示
７  吸盤
１２  箱形ケースの前側外面
２１  操作キー
３１  表面層
１００  キャビネット
２００  テーブル面
【図１】
2006086575.tif 000003
【図２】
2006086575.tif 000004
【図３】
2006086575.tif 000005
【図４】
2006086575.tif 000006